(57)【要約】【課題】テレビ画面に表示されている画像に応じてリモコン画面に関連する画像を表示するリモコン装置において、ユーザーの意識的な操作により、分かりやすくリモコン画面に関する視聴操作の切り替えが行えるようにする。【解決手段】リモコン装置本体の端部付近に設けた収納部１２に、リモコン画面１１ａを備えた表示部１１が引き出し可能に収納される。表示部１１を引き出し、リモコン画面が開状態になると表示部１１がオンになり、テレビジョン装置に情報要求信号が送信される。テレビジョン装置からの情報を受信すると、テレビ画面における表示状態に応じた画像がリモコン画面１１ａに表示され、番組情報やその番組放送の本放送映像、あるいは電子番組表に対する操作が可能となる。【選択図】図２
2008288638.tif 000002
【特許請求の範囲】
【請求項１】
テレビジョン装置を遠隔操作するリモコン装置であって、装置本体の収納部に出し入れ自在に装着され、動画を含む画像が表示可能なリモコン画面を有する表示部と、テレビジョン装置との間で双方向通信が可能な通信手段とを備え、
前記表示部が前記収納部から引き出されて前記リモコン画面が開状態になるとテレビジョン装置に対し情報要求信号が送信され、テレビジョン装置からの情報を受信すると、その情報に対応した画像を前記リモコン画面に表示することを特徴とするリモコン装置。
【請求項２】
前記収納部は、装置本体の端部付近に設けられ、前記表示部を摺動可能に保持することを特徴とする請求項１に記載のリモコン装置。
【請求項３】
前記表示部は、前記収納部から引き出されて前記リモコン画面が開状態になるとオンになり、収納されて前記リモコン画面が閉状態になるとオフになることを特徴とする請求項１又は２に記載のリモコン装置。
【請求項４】
前記テレビジョン装置がデータ放送サービスが行われている番組放送の本放送映像を表示している状態であることを示すＴＶモード情報が受信されると、前記リモコン画面にデータ放送が提供しているデータが表示されることを特徴とする請求項１〜３のいずれかに記載のリモコン装置。
【請求項５】
前前記テレビジョン装置のテレビ画面にデータ放送のデータが表示されている状態であることを示すＴＶモード情報が受信されると、前記リモコン画面に本放送映像が表示されることを特徴とする請求項１〜３のいずれかに記載のリモコン装置。
【請求項６】
前記ＴＶモード情報に応じて、前記リモコン画面に、テレビ画面に表示されている画像に対する操作を可能とする機能ボタン画像が表示されることを特徴とする請求項１〜３のいずれかに記載のリモコン装置。
【請求項７】
前記ＴＶモード情報に応じて、前記リモコン画面に、該リモコン画面に表示されている画像に対する操作を可能とする機能ボタン画像が表示されることを特徴とする請求項１〜３のいずれかに記載のリモコン装置。
【請求項８】
請求項１〜７のいずれかに記載のリモコン装置によって操作されるテレビジョン装置であって、前記リモコン装置との間で双方向通信が可能な通信手段を備え、前記リモコン装置からの情報要求信号を受信すると、テレビ画面における表示状態を示すＴＶモード情報を含む情報をリモコン装置に送信することを特徴とするテレビジョン装置。
【請求項９】
テレビ画面に、番組の本放送映像を表示中にリモコン装置からの情報要求信号が受信されると、前記ＴＶモード情報と共にその番組放送に平行して行われているデータ放送のデータ情報をリモコン装置に送信することを特徴とする請求項８に記載のテレビジョン装置。
【請求項１０】
テレビ画面に、番組放送に平行して行われているデータ放送のデータを表示中にリモコン装置からの情報要求信号が受信されると、前記ＴＶモード情報と共にその番組の本放送映像情報をリモコン装置に送信することを特徴とする請求項８に記載のテレビジョン装置。
【発明の詳細な説明】
【技術分野】
【０００１】
本発明は、テレビジョン装置の表示画面に表示されている表示状態に応じて、関連する画像を表示することが可能なリモコン装置、および同リモコン装置と双方向通信が可能なテレビジョン装置に関する。
【背景技術】
【０００２】
近年、デジタルテレビ放送では、データ放送などにより番組放送に平行して番組に関連する情報を提供したり、ＥＰＧや番組情報、その他各種の情報を提供するサービスを行っている。これらのサービスを利用できるデジタルテレビジョン装置においては、そのリモコン装置にそれらのサービスを利用するための専用又は兼用の各種の操作ボタンが設けられている。しかし、ボタンの種類と数が増加するにしたがい、各操作ボタンの機能が分かりづらくなり、勝手が悪くなってきている。
【０００３】
また、番組放送の本放送映像を視聴中にリモコン装置に設けられている「ｄ」ボタンを押下することにより、本放送映像が表示されているテレビジョン装置の表示画面にデータ放送のデータを表示させると、本放送映像が小さくなり、見づらくなってしまうという問題もあった。
【０００４】
このような問題を解決するようにした先行技術の一例として、特許文献１にみられるような、リモコン装置に副画面を実装する共にその副画面を利用する場合の操作ボタンを配置し、テレビ画面で本放送映像を視聴中にリモコン装置に設けられている所定のボタンを押下することにより、その番組放送に平行して流れているデータ放送のデータをリモコン装置の副画面に表示させるようにしたものがある。
【特許文献１】特開２００３−３３３３６２号公報
【発明の開示】
【発明が解決しようとする課題】
【０００５】
しかしながら、上記の先行技術は、リモコン上の副画面が上面に露出した状態で実装されており、副画面に画像を表示させるには専用ボタンを操作するようになっていることから、ユーザーはそれらの専用ボタンの機能を予め理解した上でなければボタン操作を行うことが出来ず、また、テレビ装置本体に対する操作をするしない、あるいはデータをリモコン側で視聴操作する／しないといった切り替えがユーザーにとってはっきりしないという問題があった。
【０００６】
本発明は、このような問題に鑑みてなされたものであり、ユーザーの意識的な操作により、分かりやすくリモコン画面に関する視聴操作の切り替えが出来、より便利で快適なユーザーインターフェースを実現するリモコン装置と同リモコン装置に対応したテレビジョン装置を提供することを目的としたものである。
【課題を解決するための手段】
【０００７】
上述の課題を達成するために、本発明の第１の技術手段は、テレビジョン装置を遠隔操作するリモコン装置であって、装置本体の収納部に出し入れ自在に装着され、動画を含む画像が表示可能なリモコン画面を有する表示部と、テレビジョン装置との間で双方向通信が可能な通信手段とを備え、前記表示部が前記収納部から引き出されて前記リモコン画面が開状態になるとテレビジョン装置に対し情報要求信号が送信され、テレビジョン装置からの情報を受信すると、その情報に対応した画像を前記リモコン画面に表示することを特徴としたものである。
【０００８】
第２の技術手段は、第１の技術手段において、前記収納部は、装置本体の端部付近に設けられ、前記表示部を摺動可能に保持することを特徴としたものである。
【０００９】
第３の技術手段は、第１又は２の技術手段において、前記表示部は、前記収納部から引き出されて前記リモコン画面が開状態になるとオンになり、収納されて前記リモコン画面が閉状態になるとオフになることを特徴としたものである。
【００１０】
第４の技術手段は、第１〜３のいずれかの技術手段において、前記テレビジョン装置がデータ放送サービスが平行して行われている番組放送の本放送映像を表示している状態であることを示すＴＶモード情報が受信されると、前記リモコン画面にデータ放送が提供しているデータが表示されることを特徴としたものである。
【００１１】
第５の技術手段は、第１〜３のいずれかの技術手段において、前記テレビジョン装置のテレビ画面にデータ放送のデータが表示されている状態であることを示すＴＶモード情報が受信されると、前記リモコン画面に本放送映像が表示されることを特徴としたものである。
【００１２】
第６の技術手段は、第１〜３のいずれかの技術手段において、前記ＴＶモード情報に応じて、前記リモコン画面に、テレビ画面に表示されている画像に対する操作を可能とする機能ボタン画像が表示されることを特徴としたものである。
【００１３】
第７の技術手段は、第１〜３のいずれかの技術手段において、前記ＴＶモード情報に応じて、前記リモコン画面に、該リモコン画面に表示されている画像に対する操作を可能とする機能ボタン画像が表示されることを特徴としたものである。
【００１４】
第８の技術手段は、第１〜７のいずれかの技術手段におけるリモコン装置によって操作されるテレビジョン装置であって、前記リモコン装置との間で双方向通信が可能な通信手段を備え、前記リモコン装置からの情報要求信号を受信すると、テレビ画面における表示状態を示すＴＶモード情報を含む情報をリモコン装置に送信することを特徴としたものである。
【００１５】
第９の技術手段は、第８の技術手段において、テレビ画面に、番組の本放送映像を表示中にリモコン装置からの情報要求信号が受信されると、前記ＴＶモード情報と共にその番組放送に平行して行われているデータ放送のデータ情報をリモコン装置に送信することを特徴としたものである。
【００１６】
第１０の技術手段は、テレビ画面に、番組放送に平行して行われているデータ放送のデータを表示中にリモコン装置からの情報要求信号が受信されると、前記ＴＶモード情報と共にその番組の本放送映像情報をリモコン装置に送信することを特徴としたものである。
【発明の効果】
【００１７】
本発明によれば、テレビジョン装置に対する操作をする／しない、あるいはリモコン画面での視聴操作する／しないといった切り替えを、ユーザーの意識的な操作により、分かりやすく切り替えることができる。
また、本発明によれば、表示部が収納部に収納され、リモコン画面が閉じている状態では通常のリモコン装置として操作することができので、従来のリモコン装置と同様な操作／形状を保つことができ、違和感のない多機能のリモコン装置を提供することが可能となる。
また、本発明によれば、リモコン画面を利用しない場合は、表示部が収納部に収納されており、表示部がオフになっているので、無駄な電力消費を避けることができる。
【発明を実施するための最良の形態】
【００１８】
以下、本発明の実施形態について、図面を参照しながら説明する。図１および図２は、表示部を備えた本発明のリモコン装置の外観図である。図において、１１は表示部、１１ａは液晶によるリモコン画面、１１ｂは表示部を利用する場合の操作キー、１２は表示部１１を摺動可能に収納する収納部を示しおり、図１は、表示部１１が収納部１２に収納されている状態、図２は、表示部１１を収納部１２から引き出した状態をそれぞれ示している。
【００１９】
次に、テレビジョン装置の表示画面（以下、テレビ画面という。）における表示状態（以下、ＴＶモードという。）に対応したリモコン画面の表示形態の具体例について、図３〜６により説明する。
図３は、ＴＶモードに対応したリモコン画面の第一の表示形態の例を示す図であり、テレビ画面が番組放送の本放送映像を表示しているＴＶモードの場合に、リモコン装置の表示部１１を引き出してリモコン画面１１ａを開状態にすると、リモコン画面１１ａにその番組の番組情報が表示される例を示している。
図４は、ＴＶモードに対応したリモコン画面の第２の表示形態の例を示す図であり、ＴＶ画面が放送番組の番組情報を表示しているＴＶモードの場合に、リモコン装置の表示部１１を引き出してリモコン画面１１ａを開状態にすると、リモコン画面１１ａにその番組の本放送映像が表示される例を示している。
図５は、ＴＶモードに対応したリモコン画面の第３の表示形態の例を示す図であり、テレビ画面がデータ放送を含む番組映像を表示しているＴＶモードの場合に、リモコン装置の表示部１１を引き出してリモコン画面１１ａを開状態にすると、リモコン画面１１ａにデータ放送のデータが表示される例を示している。
図６は、ＴＶモードに対応したリモコン画面の第４の表示形態の例を示す図であり、
テレビ画面が電子番組表を示しているＴＶモードの場合に、リモコン装置の表示部１１を引き出してリモコン画面１１ａを開状態にすると、リモコン画面１１ａに電子番組表の操作を可能にする機能ボタンが表示される例を示している。
【００２０】
なお、リモコン画面１１ａに、電子番組情報が表示されている場合や（図３）、データ放送のデータが表示されている場合（図５）、表示部１１に設けられている操作キー１１ｂ（図２）を操作することによりスクロールなど行うことができる。
また、リモコン画面１１ａに電子番組表を表示させた場合、操作キー１１ｂを利用して「前日」「翌日」の切り替えや時間帯の切り替えを行うようにしても良い。
【００２１】
次に、本発明に係るテレビジョン装置の実施形態について説明する。図７は、デジタルテレビジョン装置（以下、テレビジョン装置という。）の機能構成を示すブロック図である。テレビジョン装置は、アンテナからデジタルテレビジョン信号を受信して放送番組を視聴するためのチューナ１０１、入力されたＴｒａｎｓｐｏｒｔ  Ｓｔｒｅａｍ（以下、ＴＳと記載。）をデコードするＴＳデコーダ１０２、ＴＳデコーダ１０２でデコードされた映像データと音声データとを同期をとりながらＡＶデコードするＡＶデコーダ１０３、リモコン装置の表示部で映像再生するために、映像信号を再エンコードするトランスコード部１０４、番組情報データや電子番組表データ等のデータをデコード処理して出力する情報抽出部１０５、リモコン装置からの信号を受信するリモコン受信部１０６、リモコン受信部１０６からの信号や情報抽出部１０５からの情報の入力に応じて各種の制御を行う制御部１０７、ＴＶモード情報やその他の情報を記憶しておく情報記憶部１０８、ＯＳＤデータを生成するＯＳＤ生成部１０９、ＡＶデコーダ１０３からの映像信号とＯＳＤ生成部１０９からのＯＳＤ信号を合成する映像合成部１１０、アンプやスピーカ等からなる音声出力部１１１、番組映像や電子番組表、その他各種の映像を表示する液晶、ＰＤＰ（Ｐｌａｓｍａ  Ｄｉｓｐｌａｙ  Ｐａｎｅｌ）、ブラウン管等からなる表示部１１２、ＴＶモードに応じた情報を赤外線やＩＥＥＥ８０２.１１等を利用してリモコン装置に送信する送信部１１３、を備えている。
【００２２】
図８は、本発明の実施形態におけるリモコン装置の機能構成を示すブロック図である。リモコン装置は、ＴＶモードに応じてリモコン画面に機能ボタンを出現させるためのタッチパネル２０１ａ、表示部１１の出し入れに応じてオン・オフするスライドスイッチ２０１ｂ、各種の入力操作を行うための入力ボタン２０１ｃを有する操作部２０１、ＴＶ本体から送信されてくる情報を受信する受信部２０２、操作部２０１などからの信号により各種の制御を行う制御部２０３、ＡＶ信号をデコードするＡＶデコーダ２０４、受信部２０２で受信した信号が、ＡＶ信号かＡＶ以外の信号（番組情報、ＴＶモード情報等）かを判定して、ＡＶ信号はＡＶデコーダ２０４に、ＡＶ信号以外の信号は制御部２０３へ出力する判定部２０５、ＴＶ本体からの情報に応じた画像をリモコン画面に表示するためのレイアウト情報などを記憶しておく情報記憶部２０６、操作部２０１からの出力信号に応じた制御信号や情報要求信号をテレビジョン装置本体に送信する送信部２０７、ＴＶモードによって、ＡＶデコーダ２０４からの映像信号と制御部２０３からの文字画像信号等とを合成する合成部２０８、合成部２０８からの画像信号を表示するリモコン画面を備えた表示部２０９（図１の表示部１１）に対応）、を備えている。
【００２３】
次に、上述したリモコン装置およびテレビジョン装置の動作について、図９〜１４のフローチャートにより説明する。
図９は、リモコン画面を開状態にした時のリモコン側のフローチャートを示す。ステップＳ１において、リモコン装置の表示部１１が収納部１２から引き出されてスライドＳＷ２０１ｂがオンし、リモコン画面が開状態になったことが検出されると（ステップＳ１／Ｙ）、表示部１１がオンになり(ステップＳ２)、テレビジョン装置本体に情報要求信号が送信され（ステップＳ３）、テレビジョン装置本体からの情報が受信されると（ステップＳ４／Ｙ）、その情報の中に含まれているＴＶモード情報によりＴＶモードを確認し（ステップＳ５）、そのモードに対応した情報を情報記憶部２０６から読み出して（ステップＳ６）ＴＶモードに対応した画面を作成し（ステップＳ７）、ＴＶから送信されてきた、例えばデータ放送の文字データを画面１１ａに表示し（ステップＳ８）、処理を終了する。
【００２４】
図１０は、リモコン画面が開状態になって表示部１１がオンになった時のＴＶ側のフローチャートを示す。リモコン装置からの情報要求信号が受信されると(ステップＳ１１)、例えば情報記憶部１０８に記憶されている情報に基づいてその時のＴＶモードを確認し(ステップＳ１２)、ＴＶモードに対応した情報、例えば番組情報を情報抽出部１０５から抽出し（ステップＳ１３）、その抽出情報をＴＶモード情報と共にリモコン装置に送信し（ステップＳ１４）、処理を終了する。
【００２５】
図１１は、リモコン装置の表示部１１が収納された時のリモコン装置側のフローチャートを示す。ステップＳ２１において、表示部１１が収納されたことが検出されると（ステップＳ２１／Ｙ）、表示部１１をオフにし（ステップＳ２２）、リモコン画面に関するテレビジョン装置との通信を終了する（ステップＳ２３）。
【００２６】
図１２は、テレビジョン装置本体が操作されたときのテレビジョン装置側のフローチャートを示す。ステップＳ３１において、リモコン装置又はテレビジョン本体の入力操作部(不図示)に対しユーザー操作が行われると（ステップＳ３１／Ｙ）、その操作に従った処理が行われる（ステップＳ３２）。その操作によってＴＶモードが変更された場合（ステップＳ３３／Ｙ）、変更されたＴＶモード情報とそのモードに対応した情報、例えば、番組放送の映像を表示させている状態から番組情報を表示させるモードに切り換えた場合はその番組の映像情報をリモコン装置へ送信する（ステップＳ３４）。
【００２７】
図１３は、リモコン画面が開状態のときのリモコン装置側のフローチャートを示す。ステップＳ４１において、表示部１１が収納されると（ステップＳ４１／Ｙ）、ステップＳ４２に進み、表示部が収納された時の処理（図１１）を行う。表示部１１が収納されずにリモコン画面が開状態であってもテレビジョン装置からの情報が受信されていなければ（ステップＳ４３／Ｎ）、ステップＳ４４でリモコン画面がタッチパネルを表示中か否かを確認し、タッチパネルを表示中の場合は（ステップＳ４４／Ｙ）、ステップＳ４１に戻る。
リモコン画面がタッチパネルを表示中でないのにＴＶからの情報が受信されない場合はテレビジョン装置本体に情報要求信号を送信し（ステップＳ４５）、ステップＳ４１に戻る。
ステップＳ４３において、テレビジョン装置からの情報を受信している場合（ステップＳ４３／Ｙ）、ステップＳ４６において、その情報にＴＶモードの変更情報が含まれているか否か判定し、ＴＶモード変更情報が含まれている場合は（ステップＳ４６／Ｙ）、そのＴＶモードに対応した情報を情報記憶部２０６から読み出し（ステップＳ４７）、そのＴＶモードに対応した画像を作成し(ステップＳ４８)、その画像をリモコン画面に表示し（ステップＳ４９）、ステップＳ４１に戻る。
一方、ステップＳ４６において、ＴＶモードの変更情報が含まれていなければ（ステップＳ４６／Ｎ）、現在のＴＶモードに対応した画像をリモコン画面に表示し（ステップＳ４９）、ステップＳ４１に戻る。
【００２８】
図１４は、リモコン画面上に表示されている機能ボタンが操作された際のリモコン側のフローチャートを示す。ステップＳ５１において、タッチパネル２０１ａによるユーザー操作が行われたことが検出されると（ステップＳ５１／Ｙ）、タッチされた座標を検出し（ステップＳ５２）、検出された座標とコマンドを照合する（ステップＳ５３）。
そのユーザー操作がリモコン表示画面に対する操作である場合は（ステップＳ５４／Ｙ）、情報記憶部２０６から対応する情報を読み出して(ステップＳ５５)表示画像を作成し（ステップＳ５６）、作成した画像をリモコン画面に表示する(ステップＳ５７)。
【００２９】
一方、ステップＳ５４において、ユーザー操作がテレビ画面に表示されている画像に対する操作である場合は（ステップＳ５４／Ｎ）、テレビジョン装置本体へその操作信号を送信する(ステップＳ５８)。例えば、タッチパネル２０１ａに図６に例示したような番組表に対する機能ボタンが表示されている場合、「翌日」の機能ボタンを操作することにより、テレビ画面に表示されている電子番組表を翌日の番組表に切換えることができる。
電子番組表の切り替えは、デジタルテレビジョン装置用のリモコン装置に設けられている４色ボタン等によっても行うことが出来る。しかし、取扱い説明所を読まないと４色ボタンにそのような機能が割り当てられていることが分からなユーザーが多いので、本発明のように、テレビ画面に電子番組表が表示されている状態でリモコン画面１１ａに「前日」「翌日」の切替え用の機能ボタンや時間帯を切り替える機能ボタンが表示されると電子番組表の切り替えが分かり易くなる。
【００３０】
図１５は、リモコン装置の表示部１１を引き出してからリモコン画面に所定の画像が表示されるまでのシーケンスを示したものである。
先ず、ユーザーの操作によりリモコン装置１０の表示部１１が図１に示す閉じた状態から引き出されて図２に示す開いた状態になると（Ｔ１；図９のステップＳ１／Ｙ）、スライドＳＷ２０１ｂ（図８）がオンとなり、表示部１１もオンとなって（Ｔ２；図９のステップＳ２）、テレビジョン装置本体に情報要求信号を送信する（Ｔ３；図９のステップＳ３）。テレビジョン装置本体では、リモコン側から送信されてきた情報要求信号を確認し（Ｔ４；図１０のステップＳ１１／Ｙ））、自装置のＴＶモードを確認して（Ｔ５；図１０のステップＳ１２）、リモコン装置にＴＶモード／情報／映像データを送信する（Ｔ６；図１０のステップＳ１４）。リモコン装置はテレビジョン装置から送信されてきた情報に基づいてＴＶモードを確認し（Ｔ７；図９のステップＳ５）、ＴＶモードに対応した画面を作成し（Ｔ８；図９のステップＳ７）、リモコン画面に所定の画像を表示する（Ｔ９；図９のステップＳ８）、といったシーケンスとなる。
【００３１】
図１６はリモコン画面に表示されたタッチパネルに対してＴＶモードの変更を伴う操作をした場合のシーケンスを示したものである。
ユーザーがリモコン画面に表示されている機能ボタンにタッチすると（Ｔ１１；図１４のステップＳ５１／Ｙ）、その操作コマンドを確認し（Ｔ１２；図１４のステップＳ５２，５３）、そのコマンドがＴＶ画面への操作である場合、テレビジョン装置にその操作信号を送信する（Ｔ１３；図１４のステップＳ５８）。テレビジョン装置はその操作信号を確認し（Ｔ１４；図１２のステップＳ３１／Ｙ）、操作処理をし（Ｔ１５；図１２のステップＳ３２）、送信する情報の送信処理をして（Ｔ１６；図１２のステップＳ３３）、リモコン装置にＴＶモード／情報／映像データを送信する（Ｔ１７；図１２のステップＳ３４）。リモコン装置は、テレビジョン装置から送信されてきた情報に基づいてＴＶモードを確認し（Ｔ１８；図１３のステップＳ４３／Ｙ、Ｓ４６／Ｙ）、ＴＶモードに対応した画面を作成し（Ｔ１９；図１３のステップＳ４８）、リモコン画面の画面表示を更新する（Ｔ２０；図１３のステップＳ４９）、といったシーケンスとなる。
【００３２】
なお、上述した実施形態では、表示部１１は、収納部に収納されるとオフになる例を示したが、表示部を引き出した状態のまま収納するのを忘れた場合でも、リモコン装置に対する操作が所定時間行われなかった場合はオートオフするようにしても良い。
【図面の簡単な説明】
【００３３】
【図１】本発明の実施形態におけるリモコン装置の、表示部が収納された状態を示す外観図である。
【図２】本発明の実施形態におけるリモコン装置の、表示部が引き出された状態を示す外観図である。
【図３】テレビ画面に対応したリモコン画面の第一の表示形態の例を示す図である。
【図４】テレビ画面に対応したリモコン画面の第２の表示形態の例を示す図である。を示す図である。
【図５】テレビ画面に対応したリモコン画面の第３の表示形態の例を示す図である。を示す図である。
【図６】テレビ画面に対応したリモコン画面の第４の表示形態の例を示す図である。
【図７】本発明の実施形態におけるテレビジョン装置の機能構成を示すブロック図である。
【図８】本発明の実施形態におけるリモコン装置の機能構成を示すブロック図である。
【図９】リモコン画面を開状態にした時のリモコン装置側のフローチャートを示す。
【図１０】リモコン画面が開状態になって表示部１１がオンになった時のＴＶ側のフローチャートを示す。
【図１１】リモコン装置の表示部１１が収納された時のリモコン装置側のフローチャートを示す。
【図１２】ＴＶ本体が操作されたときのＴＶ側のフローチャートを示す。
【図１３】リモコン画面が開状態のときのリモコン装置側のフローチャートを示す。
【図１４】リモコン画面上に表示されている機能ボタンが操作された際のリモコン側のフローチャートを示す。
【図１５】リモコン装置の表示部を引き出してからリモコン画面に表示されるまでのシーケンスを示す。
【図１６】リモコン画面に表示されたタッチパネルに対してＴＶモードの変更を伴う操作をした場合のシーケンスを示す。
【符号の説明】
【００３４】
１０…リモコン装置、１１表示部、１１ａ…リモコン画面、１１ｂ…操作キー、１２…収納部、１０１…デジタル放送用チューナ、１０２…ＴＳデコーダ、１０３…ＡＶデコーダ、１０４…トランスコード、１０５…情報抽出部、１０６…リモコン受信部、１０７…制御部、１０８…情報記憶部、１０９…ＯＳＤ生成部、１１０…映像合成部、１１１…音声出力部、１１２…表示部、１１３…送信部、２０１…操作部、２０２…受信部、２０３…制御部、２０４…ＡＶデコーダ、２０５…判定部、２０６…情報記憶部、２０８…合成部、２０９…送信部。
【図１】
2008288638.tif 000003
【図２】
2008288638.tif 000004
【図３】
2008288638.tif 000005
【図４】
2008288638.tif 000006
【図５】
2008288638.tif 000007
【図６】
2008288638.tif 000008
【図７】
2008288638.tif 000009
【図８】
2008288638.tif 000010
【図９】
2008288638.tif 000011
【図１０】
2008288638.tif 000012
【図１１】
2008288638.tif 000013
【図１２】
2008288638.tif 000014
【図１３】
2008288638.tif 000015
【図１４】
2008288638.tif 000016
【図１５】
2008288638.tif 000017
【図１６】
2008288638.tif 000018